(57)【要約】本発明はおむつ、失禁パッドなどの吸収製品であって、その製品が液体透過性表面層（２）、液体不透過性裏面材料（３）、及び表面層（２）と裏面材料（３）の間に封入された吸収体（４）を含み、製品が前部分（５）、後部分（６）、及び前部分と後部分の間に位置される股部分（７）、及び装着者上に吸収製品を固定するための取付システムを有し、取付システムが製品の前又は後部分上に配置された着地領域（２０）との脱着可能な相互作用のための少なくとも一つのタブ（１８）を含み、着地領域が二つの長辺（２６）と二つの長辺（２６）を一緒に接合する二つの短辺（２５）を有するストリップとして設計されているものにおいて、着地領域（２０）が着地領域上の横方向の中央に配置された中央不活性領域（２８）、及び中央不活性領域（２８）の各側上に一つずつ配置された二つの活性領域（２７）を含み、かくして活性領域が中央不活性領域（２８）から着地領域の短辺（２５）まで横方向に延びるものに関する。【選択図】図１
2005501577.tif 000002
【特許請求の範囲】
【請求項１】
おむつ、失禁パッドなどの吸収製品であって、その製品が液体透過性表面層（２）、液体不透過性裏面材料（３）、及び表面層（２）と裏面材料（３）の間に封入された吸収体（４）を含み、製品が前部分（５）、後部分（６）、及び前部分と後部分の間に位置される股部分（７）、及び装着者上に吸収製品を固定するための取付システムを有し、取付システムが製品の前又は後部分上に配置された着地領域（２０）との脱着可能な相互作用のための少なくとも一つのタブ（１８）を含み、着地領域が二つの長辺（２６）と二つの長辺（２６）を一緒に接合する二つの短辺（２５）を有するストリップとして設計されているものにおいて、着地領域（２０）が着地領域上の横方向の中央に配置された中央不活性領域（２８）、及び中央不活性領域（２８）の各側上に一つずつ配置された二つの活性領域（２７）を含み、かくして活性領域が中央不活性領域（２８）から着地領域の短辺（２５）まで横方向に延びることを特徴とする吸収製品。
【請求項２】
着地領域（２０）が連続支持体手段（２３）からなること、及び中央不活性領域（２８）が支持体手段（２３）からなること、及び活性領域（２７）が支持体手段（２３）及び支持体手段上に配置された取付手段（２４）からなることを特徴とする請求項１に記載の吸収製品。
【請求項３】
着地領域（２０）が連続支持体手段（２３）からなること、及び中央不活性領域（２８）が支持体手段（２３）からなること、及び活性領域（２７）が活性部領域（２９）と不活性部領域（３０）に分割されることを特徴とする請求項１に記載の吸収製品。
【請求項４】
活性部領域（２９）が支持体手段（２３）及び支持体手段上に配置された取付手段（２４）からなること、及び不活性部領域（３０）が支持体手段からなることを特徴とする請求項３に記載の吸収製品。
【請求項５】
取付手段（２４）がタブ（１８）上に配置されたフック要素の形の取付要素（１９）と相互作用するループ要素からなることを特徴とする請求項２〜４のいずれかに記載の吸収製品。
【請求項６】
着地領域（２０）が積層体の形であり、そこでは支持体手段（２３）が不織層又はプラスチックフィルムからなり、取付手段（２４）がトウ（３１）からなることを特徴とする請求項１〜５のいずれかに記載の吸収製品。
【請求項７】
トウ（３１）が、目又はループが形成されるように不織層又はプラスチックフィルムに固定されることを特徴とする請求項６に記載の吸収製品。
【請求項８】
着地領域が生分解性材料から作られることを特徴とする請求項１〜７のいずれかに記載の吸収製品。
【請求項９】
着地領域が更新可能な原材料から生成された材料から作られることを特徴とする請求項１〜８のいずれかに記載の吸収製品。
【発明の詳細な説明】
【技術分野】
【０００１】
本発明は液体透過性表面材料、液体不透過性裏面材料、及びそれらの間に封入された吸収体を含む、おむつ、失禁パッドなどの吸収製品に関する。吸収製品はまた、前部分、後部分、及び前と後部分の間に位置された股部分を有する。
【背景技術】
【０００２】
このタイプの従来の吸収製品は通常、装着者のまわりに吸収製品を固定するための取付システムを有する。取付システムは相互作用する第一及び第二部、例えば取付フラップ（タブ）、及びタブのための受容部（着地領域）からなってもよい。タブはグルー又は同種接着剤を与えられてもよく、それはプラスチック材料、例えばポリプロピレンのストリップからなることが多い着地領域に取付けられる。あるいは、タブはタッチアンドクローズ（フックアンドループ）の第一部を伴って、着地領域はその第二部を伴って設計される。通常、タブはかかるシステムの雄部又はフック部を与えられ、着地領域はシステムの雌部又はループ部を与えられる。着地領域は通常、製品の前端縁に沿った領域において吸収製品の前部に取り付けられ、かくしてそれは腰領域において製品の幅のかなり部分に沿って製品の横方向に延びる。このようにして、タブは着地領域の全長さに沿って着地領域と相互作用することができ、かくして装着者に対する製品のできるだけ良好な調整が得られる。このタイプの従来のフックアンドループ取付システムの例はＥＰ  ０２７６９７０Ｂ１，ＥＰ  ０３２４５７８Ｂ１及びＥＰ  ０４９１３４７に見出される。
【０００３】
タッチアンドクローズタイプのこのタイプの受容ストリップによる一つの問題はそれらが製造するには高価なことである。受容ストリップのコストが製品の全材料コストの１０％まで占めることも珍しくない。さらに、それが製品に取付けられるとき着地領域はストリップが製品に接続される領域を周囲領域に対して剛くし、それは装着者の体に対して摩擦する製品に導きうる。
【発明の簡単な記述】
【０００４】
本発明の目的は上述の問題を克服し、材料及び製造に関する限り比較的低いコストを有し、同時に製品を装着者上に安定的に適合して製品の装着者の体に対して柔らかくかつ快適に感じる受容ストリップを有する吸収製品を構成することである。
【０００５】
本発明による吸収製品は、それがおむつ、失禁パッドなどからなり、その製品が液体透過性表面層、液体不透過性裏面材料、及び表面層と裏面材料の間に封入された吸収体を含むことを特徴とする。製品は前部分、後部分、及び前部分と後部分の間に位置される股部分、及び装着者上に吸収製品を固定するための取付システムを有し、取付システムは製品の前又は後部分上に配置された着地領域との脱着可能な相互作用のための少なくとも一つのタブを含む。着地領域は二つの長辺と二つの長辺を一緒に接合する二つの短辺を有するストリップとして設計され、着地領域上の横方向の中央に配置された中央不活性領域、及び中央不活性領域の各側上に一つずつ配置された二つの活性領域を含み、かくして活性領域が中央不活性領域から着地領域の短辺まで横方向に延びる。
【発明の記述】
【０００６】
本発明によれば、前述の問題を本質的に除去する、冒頭で参照されたタイプの吸収製品が製造される。
【０００７】
吸収製品は液体透過性表面層、液体不透過性裏面材料、及びそれらの間に封入された吸収体を含む、おむつ又は失禁パッドからなる。おむつは吸収パンツのように装着者の胴体の下部を包囲することを意図される。それは使用中装着者の前方に面することを意図される前部分、使用中装着者の後方に面することを意図される後部分、及び装着者の脚の間の装着者の股に配置されることを意図される、前と後部分の間に位置される狭い股部分を有する。
【０００８】
吸収製品の前又は後部分は装着者のまわりに吸収製品を固定するための少なくとも一つの取付フラップ又はタブを与えられる。タブは製品の前又は後部分上に配置された取付要素のための受容部又は着地領域に取付けられるタブ上に配置された取付要素によって吸収製品の後及び前部分を相互接続することを意図される。製品は製品の後側パネル上に配置された二つのタブ（各後側パネル上に一つのタブ）、及び製品の前部分上の着地領域を与えられることが好ましい。
【０００９】
着地領域は二つの短辺及び二つの長辺を有するストリップとして設計されることが好適である。長辺は前端縁の比較的大部分に沿っておむつの前端縁に平行に又は本質的に平行に延び、短辺は二つの長辺を一緒に接合する。着地領域は取付要素と相互作用するように適応された材料からなる。着地領域はタッチアンドクローズテープの雌部（ループ部）、及びタッチアンドクローズテープの雄部（フック部）の取付要素からなることが好ましい。タッチアンドクローズテープの雌雄部は通常、支持体手段の形であり、支持体手段の上には目（ループ）又はフックのいずれかを構成する材料が配置される。
【００１０】
吸収製品が装着者に正しく適応されるとき、即ち装着者が正しいサイズの製品を装着するとき、それは装着者の体のまわりに安定して適合するような方法で設計されるべきである。製品が安定して固定されるためには、タブの取付要素は取付システムが製品の他の部分と最も好適な方法で相互作用するように着地領域に取付けるべきである。それは取付要素が着地領域の短辺の方にレイアウトする着地領域の部分に取付けることを意味する。それゆえ取付のために着地領域の中央部分は使用されない。
【００１１】
それゆえ本発明による着地領域は着地領域の範囲に相当するストリップとして設計される支持体手段を含む。支持体手段上では、好ましくはループ要素の形の取付手段は短辺のまわりの領域に位置される支持体手段の部分上に配置され、かくして支持体材料だけの不活性領域が取付手段を与えられた二つの活性領域の間に形成される。このようにして、着地領域は二つの活性領域と中間中央不活性領域に分割されることができる。取付手段は全着地領域上に配置されないので、製造が安価で簡単であり、同時に中央不活性部分は可撓性で比較的柔らかい。このタイプの着地領域の別の利点はもし取付手段が存在しないなら支持体手段上のいかなるパターン、色又は印刷もより明瞭に見えることである。
【図面の簡単な記述】
【００１２】
本発明は図面に示された例を参照して以下により詳細に記載されるだろう。
図１は上から見た本発明によるおむつを示す。
図２は図１のおむつの線ＩＩ−ＩＩに沿った断面を示す。
図３は本発明によるおむつの概略図を示す。
図４は上から見た本発明による着地領域を示す。
図５は図４の着地領域の線Ｖ−Ｖに沿った断面を示す。
図６ａ及び６ｂは着地領域の他の図示例を示す。
図７は着地領域のさらなる図示例を示す。
図８は図７の着地領域の線ＶＩＩＩ−ＶＩＩＩに沿った断面を示す。
【図面及び具体例の記述】
【００１３】
図１−３に示された吸収製品は液体透過性表面層２、液体不透過性裏面材料３、及びそれらの間に封入される吸収体４を含む、おむつ又は失禁パッド１からなる。
【００１４】
液体透過性表面層２は吸収製品の使用中、乾燥性及び柔軟性の如き特性を有する材料からなることが好ましい。なぜならば、この層は装着者の体と接触させられるからである。層は繰り返し湿潤されたとしても乾燥したままである柔らかい織物状表面を有することが望ましい。表面層は例えばポリプロピレン繊維から作られたスパンボンド、メルトブロー材料又は結合されカードされた繊維材料の如き柔らかく滑らかな表面を有する不織材料からなることができる。装着者の皮膚に隣接する表面を乾燥して保つためには、疎水性不織材料を使用することができ、それは開口が材料中の繊維間のキャビティより大きい材料に形成されるようにせん孔される。このようにして、液体は表面層に作られた開口を通って下にある吸収体に案内されることができる。表面層のための材料の他の例は例えば有孔ポリエチレンフィルムの如き有孔プラスチックフィルムである。
【００１５】
液体不透過性裏面材料３はポリエチレン（ＰＥ）、ポリプロピレン（ＰＰ）又は別の好適な材料の薄いフィルム、疎水化された不織層又は薄いフィルムと不織材料の積層体からなることができる。このタイプの積層体はしばしば裏面層上に柔らかい織物状外部を得るために使用される。より通気性で快適な製品を達成するためには、液体が吸収製品から逃避することを防止するが湿分を換気できる呼吸性の裏面層を使用することもできる。これらの呼吸性裏面層は単一の材料層、又は例えばスパンボンド又はスパンボンド−メルトブロー−スパンボンド（ＳＭＳ）から作られた不織層を積層されたブロー又は成形されたポリエチレンフィルムの積層体からなることができる。
【００１６】
表面層２及び裏面材料３は吸収体より平面においてわずかに大きい範囲を有し、吸収体の縁の外側に延びる。層２及び３は例えば熱又は超音波を使用する溶接又は接着によって突出する部分において相互接続される。それらは例えばグルーによって吸収体に接続されることもできる。
【００１７】
吸収体４はいかなる従来のタイプからもなることができる。吸収体は通常、セルロース繊維、例えばセルロース毛羽パルプの一以上の層から作られる。使用可能な他の材料は例えば吸収性不織材料、発泡材料、合成繊維材料又はピートである。セルロース繊維又は他の吸収材料に加えて、吸収体はＳＡＰ（超吸収性ポリマー）として知られる超吸収材料、即ち超吸収材料自体の重量の数倍に相当する液体を吸収する能力を有する、繊維、粒子、顆粒、フィルムなどの形の材料、を含有することもできる。超吸収材料は液体を結合し、液体含有ゲルを形成する。吸収体は結合剤及び形状安定性成分などを含むこともできる。吸収特性を改良する追加の吸収層を使用することができ、例えば様々なタイプの液体分布材料層又は詰物として知られるインサートを使用することができる。吸収体は吸収特性を改変するために化学的又は物理的に処理されることができる。例えば吸収体中の液体流れを制御するために吸収体に圧縮を与えることができる。また、例えばティッシュ材料から作られたカバー中に吸収層を封入することもできる。吸収体は通常、縦方向に細長い形状を有し、例えば本質的に矩形、Ｔ形状又は砂時計形状であることができる。Ｔ形状吸収体では、横方向部分は使用中装着者の腹のまわりの領域にあるように使用中吸収製品の前部分に面することを意図される。砂時計形状の吸収体は股部分より前及び後部分において幅広く、効果的な液体取込を与えると同時に、製品自らが容易に造形して装着者のまわりでタイトに容易に閉じるようなデザインを有する。
【００１８】
おむつは吸収パンツのように装着者の胴体の下部を包囲することを意図される。それは使用中装着者の前方に面することを意図される前部分５、使用中装着者の後方に面することを意図される後部分６、及び装着者の脚の間の股に配置されることを意図される、前と後部分の間に位置される狭い股部分７を有する。
【００１９】
おむつはおむつの縦方向に走る縦軸８に関して対称であることが好適である。おむつの横方向は製品を横切って延びる方向であり、縦軸８に対して直角を形成する横軸９に対して平行であるか又は概して平行である。
【００２０】
吸収体の外側に延びる横方向の股部分７の両側上の部分はおむつの本質的に縦方向に走る一以上の弾性手段１０を与えられることが好ましい。弾性手段１０は脚弾性体として機能し、おむつの縦方向側縁を通って液体及び排泄物が漏出することを防止する目的に役立ち、このようにして外部液体バリヤーを形成する。弾性手段は裏面層と表面層の間で延伸状態で適用される一以上の弾性糸又はストリップからなることができる。あるいは、弾性体は非延伸状態で層間に配置されることができ、その代わり二つの層が適用中延伸される。また、裏面層の外側又は表面層の内側上に弾性体を配置することもできる。
【００２１】
漏出する液体又は排泄物に対してさらなる保護を与えるためには、吸収製品は装着者に面する側上に、外部液体バリヤーの内側の縦方向縁の近くに取付られる内部液体バリヤー１１を与えられることもできる。内部液体バリヤー１１は例えば疎水性不織布の如き本質的に液体不透過性の材料から作られることが好ましく、吸収製品に接続される第一縁１２及び吸収製品の使用中装着者と接触することを意図される第二自由縁１３を有する縦方向ウェブとして設計される。第二縁は一以上の弾性要素１４、好ましくは弾性糸を与えられ、それは収縮状態では直立したバリヤーが形成されるように自由縁を集める。内部バリヤーは単一層から作られたストリップとして設計されることができ、そこでは自由縁は装着者と弾性糸の直接接触を防止するように弾性要素を包囲するために折りたたまれている。あるいは、バリヤーは二つの層の間の自由端の縁に取付られた弾性糸とともに接合された二つの層から作られることができる。この場合において、バリヤーの内部層は表面層の延長部からなることができ、外部層は本質的に液体不透過性の材料からなることができ、またはバリヤーの内部及び外部層は弾性糸のまわりで折りたたまれる一つの同じ材料ストリップからなることができる。
【００２２】
製品の後及び／又は前部分は腰弾性体１５を与えられることもでき、それは製品が装着者の腰を柔らかい可撓性のある方法で包囲できるために前及び／又は後端縁に沿って配置された弾性手段からなる。弾性手段はグルーによって又は溶接（例えば超音波溶接）によって裏面材料と表面層の間に取付られることが好適である。弾性手段は一以上の弾性糸からなることができ、それは層の間で延伸状態で適用され、このようにして腰弾性体を形成する。あるいは、弾性体は層の間で非延伸状態で配置されることができ、代わりに二つの層は適用中延伸される。好適な弾性体の別の一般的な変形例は例えばポリウレタンフォームの薄いストリップからなる弾性発泡材料であり、それは弾性糸と同じようにして二つの層間で配置されることができる。もちろん腰弾性体のための弾性手段を裏面層の外側上又は表面層の内側上に位置させることもできる。
【００２３】
縦軸８の両側上の横方向において吸収体の外側に延びるおむつの後部分の部分はおむつの後側パネル１６を構成する。同様にして、吸収製品は前側パネル１７を与えられることができる。吸収製品の前又は後側パネルは装着者のまわりに吸収製品を固定するための取付システムを与えられる。取付システムは少なくとも一つの取付フラップ又はタブ１８及びタブ１８のための受容部又は着地領域２０からなる。タブ１８は製品の前又は後部分上に配置される着地領域２０に取付けられるタブ１８上に配置される取付要素１９によって吸収製品の後及び前部分を相互接続することを意図される。製品は後側パネル上に配置された二つのタブ（各後側パネル１６上に一つのタブ）、及びおむつの使用中装着者から離れて面する側上、即ち裏面材料の外側上、の製品の前部分５における着地領域２０を与えられることが好ましい。
【００２４】
タブ１８は後側パネルの側縁に横たわる領域において後側パネル１６に接続され、そのパネルは縦方向に走る。接続は例えば別個の点で、線に沿って又は連続表面領域上でグルー、テープ、熱シール又は溶接によってもたらされることができる。タブ１８は裏面材料と表面層の間で吸収製品の裏面材料又は表面層に取付られることができ、又はタブの一方の部分が裏面材料の外側上にあり、タブのもう一方の部分が製品の内側上、即ち装着者に面する表面層の側上にあるようにタブが取付られるよう設計されることができる。
【００２５】
本発明では、取付要素１９はタッチアンドクローズ（フックアンドループ）テープの雄部からなることが好ましい。取付要素１９は例えばグルー、テープによって、熱接続によって又は別の好適な取付手段によって、製品の後側パネル１６から離れて面するタブ１８の部分上及びおむつの使用中着地領域２０に面するタブ１８の部分上でタブ１８に取付けられる。取付要素１９の外側に横方向に配置されるタブ１８の部分は把持タブ２１を構成し、それは取付要素を着地領域２０に適用したり、着地領域２０から除去することを容易にする目的に役立つ。
【００２６】
着地領域２０はおむつの前端縁２２に対して本質的に平行に、即ちおむつの横方向に延びる長方形のストリップとして設計されることが好適であり、取付要素１９と相互作用するように適応される材料からなる。おむつの横方向における着地領域の範囲はスタイル及びサイズによって変化することができ、それゆえおむつの前端縁２２全体に沿って又はその一部に沿って延びることができる。着地領域は前端縁２２の比較的大きい部分に沿って延びることが好ましく、かくして装着者に対するおむつのできる限り良好な調整が得られることができるようにそれは前側パネル上を走る。おむつの縦方向における着地領域２０の範囲はそれがどのようにおむつに適応されるかによって変化することもできるが、同じ方向で取付要素１９の範囲に適応されることが好適である。着地領域２０はタッチアンドクローズテープの雌部（ループ部）からなり、取付要素１９はタッチアンドクローズテープの雄部（フック部）からなることが好ましい。フックとループ部を逆にして使用することもできるが、ループ部が着地領域としてより好適である。なぜならばループ部は衣服及び他の材料を容易につかむフック部と同じ問題を持たないからである。
【００２７】
タッチアンドクローズテープの雌及び雄部は通常、支持体手段の形であり、支持体手段の上にループ（目）又はフックのいずれかを構成する材料を配置することができる。
【００２８】
本発明による着地領域２０を以下により詳細に記載する。着地領域２０は二つの長辺２６と二つの長辺を一緒に接合する二つの短辺２５を有する、着地領域の範囲に相当するストリップとして設計される連続支持体手段２３からなる。二つの長辺２６はおむつの前端縁２２に対して平行又は本質的に平行であり、それゆえおむつの横方向に延び、短辺２５は好適にはまっすぐであり、長辺２６に対して直角に配置される。短辺２５は丸められるか又は着地領域２０が取付けられるおむつに対して好適である別の形状を持つこともできる。支持体手段２３上では、好ましくはループ要素の形の取付手段２４が支持体手段のそれらの部分のみの上に配置され、支持体手段は横方向において短辺２５のまわりの領域に位置され、かくして支持体手段２３のみからなる中央不活性領域２８は着地領域の中央不活性領域２８から短辺２５まで横方向に延びかつ支持体手段２３からなる活性領域２７と取付手段２４の間に形成される（図４及び５参照）。おむつの縦方向では、中央不活性領域２８と二つの活性領域２７の両方が着地領域の全範囲に沿って延びる。それゆえ、活性領域２７は取付要素１９と相互作用することができる。図４及び５による例では、取付要素２４は活性領域２７を完全にカバーするような範囲を有し、かくして取付要素１９は活性領域の全範囲に沿ってできるだけ良好に固定される。
【００２９】
本発明では支持体手段及び取付手段を有するタッチアンドクローズ部分を製造するいかなる好適な製造方法も使用できるので、着地領域の製造法自体をここでさらに詳しく説明しない。支持体手段２３及び取付手段２４のための好適な材料は例えばポリエチレン、ポリプロピレン、ポリエステル、ポリアミド又は別の熱可塑性プラスチック、並びに例えばポリラクチド、ポリカプロラクトン又は他のポリヒドロキシアルカノエートの如き生分解性材料及び例えばトウモロコシスターチ又はセルロースの如き更新可能な原材料から製造された材料、例えばポリマー材料であってもよい。取付要素のための雄部又は雌部を製造する方法の例はＵＳ  ５８３０２９８Ａ，ＵＳ  ５６１１７９１Ａ，ＵＳ  ５０３２１２２及びＵＳ  ５３１８７４１Ａに、生分解性材料はＵＳ  ５９３９４６７Ａ及びＷＯ  ００／０１３３９Ａ１により詳細に記載されている。タッチアンドクローズストリップ自体は支持体又は支持体部分から作られること及びフック又はループの形の材料は支持体上に配置されることは記載した取付要素及びそれらの製造方法の一般的特徴である。製造方法において支持体手段の部分上にフック又はループを配置しないことによって、本発明による着地領域を製造することができる。
【００３０】
第二の例によれば、着地領域２０は前述したように、中央に位置される不活性領域２８を伴って設計され、二つの活性領域２７は中央不活性領域２８の各側上に一つ配置される。この場合において、活性領域２７は活性部領域２９に分割され、着地領域は不活性部領域３０の多数又は一つのいずれかによって活性領域間では不活性である（図６ａ及び６ｂ参照）。この例によれば、中央不活性領域２８及び不活性部領域３０は前述と同じように支持体手段２３からなり、活性部領域は支持体手段２３及び取付手段２４からなる。着地領域の表面のより小さな部分に取付手段を与えることによって、製造コストをさらに減少することができる。着地領域２０の活性部領域２９は短辺２５から中央不活性領域２８の方に延びるので、着地領域２０に対する取付要素１９の良好な取付が得られる。本発明の範囲内では活性部領域のデザインを変更することができる：それらは図６ａ及び６ｂに示されているように長方形又は円形領域として設計される必要はない。異なる領域は固定保持を達成するために好適ないかなる形状を持つことができる。
【００３１】
別の好適な例（図７及び８参照）によれば、着地領域２０はトウとして知られる連続繊維３１及びプラスチックフィルム又は不織材料の積層体として設計されることができる。繊維はまっすぐであってもクリンプされてもカールされてもよい。この場合において、支持体手段２３は不織層又はプラスチックフィルムからなり、取付手段２４は連続繊維からなる。繊維３１は目又はループが形成されるように不織層に固定され、そこに取付要素１９を係合することができる。連続繊維は着地領域を製造する方法に使用される前に別個に製造されることができる。繊維は多数の繊維を並んで配置した状態の長繊維束又はパックとして供給されることが多い。繊維が不織層に固定される前、それらはまず、好適な方法で不織層に取付られることができるように本質的に平行に並んだ平面に横たわって配置されるように分離されるべきである。これは例えば繊維束を延伸して開き本質的に均一な厚さの層を形成することによって製造工程中で実施されることができる。別の方法は平面に並んで配置された多数の繊維を製造工程中に導入することであってもよい。連続繊維３１はそのとき好適には線に沿って、点で又は斑点で固定領域３２において支持体手段２３とともに固定されるが、そうでなければ繊維は互いに固定されない。固定は例えば超音波溶接又は同時圧縮を伴う他の熱結合によってもたらされる。繊維を支持体手段に固定する他の可能な方法は結合剤又は機械的繊維の交絡によってもよい。製造中支持体手段の短辺２５に隣接する領域にのみ繊維を固定することによって、本発明による着地領域は得られる。トウ中の繊維のための好適な材料はポリエチレン、ポリプロピレン、ポリアミド、ポリエステル、ポリ酢酸ビニル、酢酸セルロース、再生セルロース繊維又は二成分繊維であってもよい。
【００３２】
製造工程でトウを取扱う例は例えばヨーロッパ特許出願ＥＰ  ０９３７７９２Ａ１に与えられている。
【００３３】
積層体を形成する成分の一つ又は両方を例えばポリラクチド、ポリカプロラクトン又は他のポリヒドロキシアルカノエートの如き生分解性材料から作られることもできる。完全に生分解性材料から作られた着地領域はこのようにして堆肥にすることができる吸収製品に使用するために好適である。
【００３４】
本発明は上述の具体例に限定されるものとして考えるべきではなく、これらは本発明を説明することのみを意図する。本発明の範囲は異なる具体例からの特徴を互いに組合わせることも含む。また、ベルト製品として知られているものにこの種の着地領域を使用することもできる。ベルト製品はおむつ又は失禁パッドを装着者に固定するための一体ベルト又はベルト部分を持つおむつ又は失禁パッドを意味する。ベルトはおむつ又は失禁パッドから着脱可能であってもよい。
【図面の簡単な説明】
【００３５】
【図１】上から見た本発明によるおむつを示す。
【図２】図１のおむつの線ＩＩ−ＩＩに沿った断面を示す。
【図３】本発明によるおむつの概略図を示す。
【図４】上から見た本発明による着地領域を示す。
【図５】図４の着地領域の線Ｖ−Ｖに沿った断面を示す。
【図６】図６ａ及び６ｂは着地領域の他の図示例を示す。
【図７】着地領域のさらなる図示例を示す。
【図８】図７の着地領域の線ＶＩＩＩ−ＶＩＩＩに沿った断面を示す。
【図１】
2005501577.tif 000003
【図２】
2005501577.tif 000004
【図３】
2005501577.tif 000005
【図４】
2005501577.tif 000006
【図５】
2005501577.tif 000007
【図６】
2005501577.tif 000008
【図７】
2005501577.tif 000009
【図８】
2005501577.tif 000010
【国際公開パンフレット】
2005501577.tif 000011
2005501577.tif 000012
2005501577.tif 000013
2005501577.tif 000014
2005501577.tif 000015
2005501577.tif 000016
2005501577.tif 000017
2005501577.tif 000018
2005501577.tif 000019
2005501577.tif 000020
2005501577.tif 000021
2005501577.tif 000022
2005501577.tif 000023
2005501577.tif 000024
2005501577.tif 000025
2005501577.tif 000026
2005501577.tif 000027
2005501577.tif 000028
2005501577.tif 000029
2005501577.tif 000030
2005501577.tif 000031
2005501577.tif 000032
2005501577.tif 000033
【手続補正書】
【提出日】平成15年8月22日(2003.8.22)
【手続補正１】
【補正対象書類名】特許請求の範囲
【補正対象項目名】全文
【補正方法】変更
【補正の内容】
【特許請求の範囲】
【請求項１】
おむつ、失禁パッドなどの吸収製品であって、その製品が液体透過性表面層（２）、液体不透過性裏面材料（３）、及び表面層（２）と裏面材料（３）の間に封入された吸収体（４）を含み、製品が前部分（５）、後部分（６）、及び前部分と後部分の間に位置される股部分（７）、及び装着者上に吸収製品を固定するための取付システムを有し、取付システムが製品の前又は後部分上に配置された着地領域（２０）との脱着可能な相互作用のための少なくとも一つのタブ（１８）を含み、着地領域が二つの長辺（２６）と二つの長辺（２６）を一緒に接合する二つの短辺（２５）を有するストリップとして設計され、着地領域（２０）が着地領域上の横方向の中央に配置された中央不活性領域（２８）、及び中央不活性領域（２８）の各側上に一つずつ配置された二つの活性領域（２７）を含むものにおいて、活性領域が中央不活性領域（２８）から着地領域の短辺（２５）まで横方向に延びること、及び着地領域（２０）が連続支持体手段（２３）からなること、及び中央不活性領域（２８）が支持体手段（２３）からなること、及び活性領域（２７）が活性部領域（２９）と不活性部領域（３０）に分割されることを特徴とする吸収製品。
【請求項２】
活性部領域（２９）が支持体手段（２３）及び支持体手段上に配置された取付手段（２４）からなること、及び不活性部領域（３０）が支持体手段からなることを特徴とする請求項１に記載の吸収製品。
【請求項３】
取付手段（２４）がタブ（１８）上に配置されたフック要素の形の取付要素（１９）と相互作用するループ要素からなることを特徴とする請求項１又は２に記載の吸収製品。
【請求項４】
着地領域（２０）が積層体の形であり、そこでは支持体手段（２３）が不織層又はプラスチックフィルムからなり、取付手段（２４）がトウ（３１）からなることを特徴とする請求項１〜３のいずれかに記載の吸収製品。
【請求項５】
トウ（３１）が、目又はループが形成されるように不織層又はプラスチックフィルムに固定されることを特徴とする請求項４に記載の吸収製品。
【請求項６】
着地領域が生分解性材料から作られることを特徴とする請求項１〜５のいずれかに記載の吸収製品。
【請求項７】
着地領域が更新可能な原材料から生成された材料から作られることを特徴とする請求項１〜６のいずれかに記載の吸収製品。